(57)【要約】【課題】  本発明は、プーリーの損傷を抑えることのできる搬送ベルトを提供する。【解決手段】  本発明は、第一方向に延び且つ第一方向と直交する第二方向又は第一方向と第二方向との合成方向に延びる端縁を有するベルト部材と、互いに対向するベルト部材の端縁同士を連結する連結部とを備え、連結部は、ベルト部材に固定された基端部及び該基端部の反対側の先端部を有する一対の片部材であって、第一方向で互いに対向するベルト部材の端縁のそれぞれから先端部を延出させた一対の片部材と、片部材の先端部に沿って配列された複数のエレメント部を含み且つ片部材の先端部に固定され、互いのエレメント部同士が噛合し、第一方向に作用する力を互いに伝達し合う一対のファスナーエレメント群と、を含み、一対の片部材は、曲げ剛性がベルト部材の曲げ剛性よりも低い可撓部を基端部と先端部との間に有することを特徴とする。【選択図】図１
2018096428.tif 000002
【特許請求の範囲】
【請求項１】
第一方向に延び且つ第一方向と直交する第二方向又は第一方向と第二方向との合成方向に延びる端縁を有する少なくとも一つのベルト部材と、第一方向で互いに対向するベルト部材の端縁同士を連結する連結部とを備え、連結部は、それぞれがベルト部材に固定された基端部及び該基端部の反対側の先端部を有する一対の片部材であって、第一方向で互いに対向するベルト部材の端縁のそれぞれから先端部を延出させた一対の片部材と、それぞれが片部材の先端部に沿って配列された複数のエレメント部によって構成され且つ一対の片部材の先端部のそれぞれに固定された一対のファスナーエレメント群であって、互いのエレメント部同士が噛合し、第一方向に作用する力を互いに伝達し合う一対のファスナーエレメント群と、を含み、一対の片部材のそれぞれは、曲げ剛性がベルト部材の曲げ剛性よりも低い可撓部を基端部と先端部との間に有することを特徴とする搬送ベルト。
【請求項２】
連結部は、線材を螺旋状に巻回したコイル部材を備え、ファスナーエレメント群を構成する複数のエレメント部は、コイル部材の第二方向に延びる仮想直線上で並ぶ複数の部位である請求項１に記載の搬送ベルト。
【請求項３】
片部材は、布製であり、コイル部材は、片部材の織り込みにより該片部材に固定されている請求項２に記載の搬送ベルト。
【請求項４】
片部材は、第一面と該第一面の反対側の第二面とを有し、ファスナーエレメント群は、片部材の先端部における第一面上に固定されている請求項１乃至請求項３の何れか１項に記載の搬送ベルト。
【請求項５】
ベルト部材は、物品を載せる表面と該表面の反対側の裏面とを第一方向及び第二方向のそれぞれと直交する第三方向に有し、片部材は、第二面をベルト部材の裏面と同方向に向け、ベルト部材の端縁の第三方向の中央よりも何れか一方側に偏位した位置から延出している請求項４に記載の搬送ベルト。
【請求項６】
ベルト部材は、物品を載せる表面になる第一樹脂面と該第一樹脂面の反対側の第二樹脂面とを有する樹脂層であって、第三方向における厚みが片部材の第三方向における厚みよりも厚い樹脂層と、樹脂層よりも薄い布帛層であって、樹脂層の第二樹脂面に直接的又は間接的に積層された二つ以上の布帛層とを備え、片部材の基端部は、第三方向で隣り合う二つの布帛層間に介在して固定されている請求項５に記載の搬送ベルト。
【請求項７】
ベルト部材は、物品を載せる表面と該表面の反対側の裏面とを第一方向及び第二方向のそれぞれと直交する第三方向に有し、ファスナーエレメント群は、ベルト部材の表面と同方向に向く第一表面と、ベルト部材の裏面と同方向に向く第二表面とを有し、第一表面がベルト部材の表面と同一レベル又はベルト部材の表面よりも裏面側に位置する請求項１乃至請求項６の何れか１項に記載の搬送ベルト。
【請求項８】
ベルト部材は、物品を載せる表面と該表面の反対側の裏面とを第一方向及び第二方向のそれぞれと直交する第三方向に有し、ファスナーエレメント群は、ベルト部材の表面と同方向に向く第一表面と、ベルト部材の裏面と同方向に向く第二表面とを有し、第二表面がベルト部材の裏面と同一レベル又はベルト部材の裏面よりも表面側に位置する請求項１乃至請求項７の何れか１項に記載の搬送ベルト。
【発明の詳細な説明】
【技術分野】
【０００１】
本発明は、プーリーに巻き掛けられる無端環状の搬送ベルトに関する。より詳しくは、帯状のベルト部材と、対向するベルト部材の端縁同士を連結する連結部とを含む無端環状の搬送ベルトに関する。
【背景技術】
【０００２】
一般的に、商品や部品等の被搬送物を搬送するベルトコンベアは、複数のプーリーと、該複数のプーリーに巻き掛けられた無端環状の搬送ベルトとを備える。
【０００３】
複数のプーリーは、間隔をあけて配置される。複数のプーリーのうちの少なくとも一つは、回転駆動される。また、複数のプーリーのうちの少なくとも一つのプーリーは、位置変更可能に設けられる。これにより、ベルトコンベアは、搬送ベルトの張力の調整及び周回位置の調整を可能とする。
【０００４】
搬送ベルトは、第一方向に延びる帯状のベルト部材であって、第一方向と直交する第二方向又は第一方向と第二方向との合成方向に延びる端縁を有する少なくとも一つのベルト部材と、対向するベルト部材の端縁同士を連結する連結部とを備える。
【０００５】
ベルト部材は、第一方向及び第二方向のそれぞれと直交する第三方向に厚みを有し、該第三方向（厚み方向）に湾曲可能に構成される。ベルト部材は、第一方向における自身の両端縁同士を対向させた状態にされたり、別のベルト部材に対して第一方向で隣り合うように配置され、自身の端縁を別のベルト部材の端縁と対向させた状態にされたりする。
【０００６】
連結部は、ベルト部材に固定される一対のレーシング部材であって、それぞれが互いに対向するベルト部材の端縁のそれぞれに沿うように配置される一対のレーシング部材と、一対のレーシング部材同士を連結するレーシングピンとを備える（例えば、特許文献１参照）。
【０００７】
一対のレーシング部材のそれぞれは、ベルト部材に固定される固定部と、固定部に連設された複数の環状部とを備える。
【０００８】
固定部は、第二方向に間隔をあけて配置された複数の爪部を備える。爪部は、ベルト部材における端縁よりも内側の領域に対し、ベルト部材の表面又は裏面の何れか一方から他方に向けて食い込むようになっている。
【０００９】
一対のレーシング部材のそれぞれにおいて、複数の環状部は、第二方向に間隔をあけて一列に配置される。一対のレーシング部材のそれぞれの複数の環状部は、相手方のレーシング部材の環状部間（第二方向で隣り合う環状部間）に介装可能になっている。すなわち、一方のレーシング部材における複数の環状部と、他方のレーシング部材における複数の環状部とは、第二方向に位置ずれして配置されている。これにより、一対のレーシング部材の複数の環状部は、第二方向で一列に連なり、それぞれの孔を連続させた共通孔を形成する。
【００１０】
レーシングピンは、共通孔に挿通可能な線材で構成され、抜け止めが施されることで、共通孔からの離脱を防止される。
【００１１】
上記構成のベルトコンベアにおいては、搬送ベルトは、ベルト部材の互いに対向する端縁同士が連結部を介して連結されることで無端環状にされ、二つ以上のプーリーを取り囲むように配置される。搬送ベルトは、回転駆動するプーリーから回転力を受けて二つ以上のプーリーの周りを周回する。これにより、ベルトコンベアは、搬送ベルト上に載せられた物品を搬送ベルトの周回に伴って搬送する。
【００１２】
ところで、レーシング部材の固定部において、爪部がベルト部材における端縁よりも内側の領域に対し、ベルト部材の表面又は裏面の何れか一方から他方に向けて食い込むため、固定部（複数の爪）が、ベルト部材を抱え込んだ状態になる。そのため、レーシング部材の固定部は、ベルト部材に対して強固に固定されるが、ベルト部材に対して一定又は略一定の姿勢で維持し、ベルト部材の表面或いは裏面に露出してしまう。
【００１３】
そのため、従来のベルトコンベアでは、周回する搬送ベルトの連結部（レーシング部材）がプーリー上を通過するときに、連結部（レーシング部材）がプーリーの外周面に摺接することがある。そのため、連結部（レーシング部材）がプーリーの外周面にダメージを与えてしまうことがある。
【先行技術文献】
【特許文献】
【００１４】
【特許文献１】特開２００２−１６８３０４号公報
【発明の概要】
【発明が解決しようとする課題】
【００１５】
そこで、本発明は、プーリーの外周面に対するダメージを抑えることのできる搬送ベルトを提供することを課題とする。
【課題を解決するための手段】
【００１６】
本発明は、第一方向に延び且つ第一方向と直交する第二方向又は第一方向と第二方向との合成方向に延びる端縁を有する少なくとも一つのベルト部材と、第一方向で互いに対向するベルト部材の端縁同士を連結する連結部とを備え、連結部は、それぞれがベルト部材に固定された基端部及び該基端部の反対側の先端部を有する一対の片部材であって、第一方向で互いに対向するベルト部材の端縁のそれぞれから先端部を延出させた一対の片部材と、それぞれが片部材の先端部に沿って配列された複数のエレメント部によって構成され且つ一対の片部材の先端部のそれぞれに固定された一対のファスナーエレメント群であって、互いのエレメント部同士が噛合し、第一方向に作用する力を互いに伝達し合う一対のファスナーエレメント群と、を含み、一対の片部材のそれぞれは、曲げ剛性がベルト部材の曲げ剛性よりも低い可撓部を基端部と先端部との間に有することを特徴とする。
【００１７】
上記構成の搬送ベルトによれば、互いのエレメント部同士を噛合させた一対のファスナーエレメント群がプーリー上を通過する際、一対のファスナーエレメント群（互いに噛合した複数のエレメント部）がプーリーの外周面に接触すると、一対のファスナーエレメント群がプーリーによって反対側に押される。
【００１８】
このとき、曲げ剛性がベルト部材の曲げ剛性よりも低い片部材の可撓部が曲がり、一対のファスナーエレメント群がプーリーに対して離間する方向に移動する。これにより、プーリーに対する一対のファスナーエレメント群の押し付け力が小さくなるか無くなるため、プーリーに対するダメージが小さくなるか無くなる。
【００１９】
本発明の一態様として、連結部は、線材を螺旋状に巻回したコイル部材を備え、ファスナーエレメント群を構成する複数のエレメント部は、コイル部材の第二方向に延びる仮想直線上で並ぶ複数の部位であってもよい。
【００２０】
このようにすれば、一対のファスナーエレメント群のそれぞれにおいて、複数のエレメント部が機械的に繋がる。従って、一対のファスナーエレメント群（複数のエレメント部）同士の噛合が確実になり、搬送ベルトの周回時に張力が連結部に作用しても、ベルト部材の端縁同士が連結した状態で維持される。
【００２１】
この場合、片部材は、布製であり、コイル部材は、片部材の織り込みにより該片部材に固定されていることが好ましい。このようにすれば、片部材の可撓部が曲がり易いだけでなく十分な引っ張り強度を有することになり、さらには、片部材に対するコイル部材（ファスナーエレメント群）の固定強度が十分に得られる。
【００２２】
本発明の他態様として、片部材は、第一面と該第一面の反対側の第二面とを有し、ファスナーエレメント群は、片部材の先端部における第一面上に固定されていてもよい。
【００２３】
このようにすれば、ファスナーエレメント群に片部材の先端部が重なるため、片部材の第二面側にプーリーが存在する場合、ファスナーエレメント群とプーリーとの間に片部材（先端部）が存在する。これにより、ファスナーエレメント群がプーリーに直接接触することが阻止されるため、ファスナーエレメント群がプーリーにダメージを与えることが抑制される。
【００２４】
この場合、ベルト部材は、物品を載せる表面と該表面の反対側の裏面とを第一方向及び第二方向のそれぞれと直交する第三方向に有し、片部材は、第二面をベルト部材の裏面と同方向に向け、ベルト部材の端縁の第三方向の中央よりも何れか一方側に偏位した位置から延出していることが好ましい。このようにすれば、ファスナーエレメント群（複数のエレメント部）がベルト部材の表面又は裏面から突出することが抑制される。従って、ベルト部材の表面側又は裏面側にプーリーが存在する場合に、ファスナーエレメント群がプーリーに接触する（押し付けられる）ことが抑制される。
【００２５】
さらに、この場合、ベルト部材は、物品を載せる表面になる第一樹脂面と該第一樹脂面の反対側の第二樹脂面とを有する樹脂層であって、第三方向における厚みが片部材の第三方向における厚みよりも厚い樹脂層と、樹脂層よりも薄い布帛層であって、樹脂層の第二樹脂面に直接的又は間接的に積層された二つ以上の布帛層とを備え、片部材の基端部は、第三方向で隣り合う二つの布帛層間に介在して固定されていることが好ましい。このようにすれば、片部材の基端部がベルト部材の端縁の第三方向の途中位置であって、ベルト部材の裏面側に偏位した位置に確実に固定される。
【００２６】
本発明の別の態様として、ベルト部材は、物品を載せる表面と該表面の反対側の裏面とを第一方向及び第二方向のそれぞれと直交する第三方向に有し、ファスナーエレメント群は、ベルト部材の表面と同方向に向く第一表面と、ベルト部材の裏面と同方向に向く第二表面とを有し、第一表面がベルト部材の表面と同一レベル又はベルト部材の表面よりも裏面側に位置していてもよい。このようにすれば、ベルト部材の表面からファスナーエレメント群が突出することが抑えられるため、プーリーがベルトの表面側に存在する場合、ファスナーエレメント群がプーリーに押し付けられることが抑制される。
【００２７】
また、本発明の別の態様として、ベルト部材は、物品を載せる表面と該表面の反対側の裏面とを第一方向及び第二方向のそれぞれと直交する第三方向に有し、ファスナーエレメント群は、ベルト部材の表面と同方向に向く第一表面と、ベルト部材の裏面と同方向に向く第二表面とを有し、第二表面がベルト部材の裏面と同一レベル又はベルト部材の裏面よりも表面側に位置していてもよい。このようにすれば、ベルト部材の裏面からファスナーエレメント群が突出することが抑えられるため、プーリーがベルトの裏面側に存在する場合、ファスナーエレメント群がプーリーに押し付けられることが抑制される。
【発明の効果】
【００２８】
以上のように、本発明は、プーリーの外周面に対するダメージを抑えることができるという優れた効果を奏し得る。
【図面の簡単な説明】
【００２９】
【図１】図１は、本発明の一実施形態に係るベルトコンベアの概要図である。
【図２】図２は、図１のＩＩ部の拡大図である。
【図３】図３は、図２に図示した部位の平面図である。
【図４】図４は、同実施形態に係るベルトコンベアの部分拡大図であって、搬送ベルトの連結部が内側プーリー上に位置した状態の部分拡大図である。
【図５】図５は、同実施形態に係るベルトコンベアの部分拡大図であって、搬送ベルトの連結部が外側プーリー上に位置した状態の部分拡大図である。
【図６】図６は、他実施形態に係るベルトコンベアに採用される搬送ベルトの部分拡大側面図である。
【発明を実施するための形態】
【００３０】
以下、本発明の一実施形態について、添付図面を参照しつつ説明する。
【００３１】
図１に示す如く、ベルトコンベア１は、複数のプーリー２…，３と、該複数のプーリー２…，３に巻き掛けられた無端環状の搬送ベルト４とを備える。
【００３２】
本実施形態において、ベルトコンベア１は、少なくとも三つのプーリー２…，３を備える。三つのプーリー２…，３のうちの少なくとも二つのプーリー２…は、無端環状の搬送ベルト４の包囲する領域内に配置され、三つのプーリー２…，３のうちの少なくとも一つのプーリー３は、無端環状の搬送ベルト４の包囲する領域外に配置される。
【００３３】
より具体的に説明すると、本実施形態に係るベルトコンベア１は、四つのプーリー２…，３を備える。四つのプーリー２…，３のそれぞれは、円筒状のプーリー本体２０，３０を備え、プーリー本体２０，３０の中心線（軸線）を自身の回転中心として回転する。本実施形態において、四つのプーリー２…，３のそれぞれの回転中心は、平行又は略平行である。
【００３４】
四つのプーリー２…，３のうちの三つのプーリー２…は、搬送ベルト４の包囲する領域内に配置され、残りの一つのプーリー３は、搬送ベルト４の包囲する領域外に配置される。以下、搬送ベルト４の包囲する領域内に配置されるプーリー２…を内側プーリーといい、搬送ベルト４の包囲する領域外に配置されるプーリー３を外側プーリーということとする。
【００３５】
三つの内側プーリー２…のうちの一つの内側プーリー２は、図示しない電動モータの駆動を受けて回転する。これに対し、三つの内側プーリー２…のうちの残りの二つの内側プーリー２，２は、回転自在に設けられる。すなわち、三つの内側プーリー２…のうちの一つの内側プーリー２は、駆動プーリーであり、残りの二つの内側プーリー２，２は、従動プーリーである。
【００３６】
三つの内側プーリー２…のうちの二つの内側プーリー２，２は、所定間隔をあけて配置される。該二つの内側プーリー２，２のうちの少なくとも一方の内側プーリー２は、他方の内側プーリー２に対する相対位置が変更可能に設けられる。すなわち、所定間隔をあけて配置される二つの内側プーリー２，２は、互いの間隔が変更可能に設けられる。
【００３７】
所定間隔をあけて配置される二つの内側プーリー２，２以外の内側プーリー２（残りの一つの内側プーリー２）は、所定間隔をあけて配置された二つの内側プーリー２，２間において、該二つの内側プーリー２，２の回転中心同士を結ぶ仮想線からずれた位置に配置される。すなわち、三つの内側プーリー２…は、それぞれの回転中心を結ぶ仮想線が三角形になるように配置されている。
【００３８】
外側プーリー３は、回転自在に設けられる。外側プーリー３は、所定間隔をあけて配置された二つの内側プーリー２，２の間にある内側プーリー２と対応した位置に配置される。
【００３９】
搬送ベルト４は、第一方向に延び且つ第一方向と直交する第二方向又は第一方向と第二方向との合成方向に延びる端縁４００を有する少なくとも一つのベルト部材４０と、第一方向で互いに対向するベルト部材４０の端縁４００，４００同士を連結する連結部４１とを備える。
【００４０】
本実施形態において、搬送ベルト４は、一つのベルト部材４０を備える。ベルト部材４０は、第一方向に延びる帯状体である。
【００４１】
ベルト部材４０は、図２に示す如く、物品を載せる表面Ｓａと該表面Ｓａの反対側の裏面Ｓｂとを第一方向及び第二方向のそれぞれと直交する第三方向に有する。本実施形態において、ベルト部材４０の第三方向における総厚みは、０．５ｍｍ〜７．０ｍｍに設定される。
【００４２】
より具体的には、ベルト部材４０は、物品を載せる表面Ｓａになる第一樹脂面ＰＳ１と該第一樹脂面ＰＳ１の反対側の第二樹脂面ＰＳ２とを有する樹脂層４０１であって、第三方向における厚みが片部材４１０，４１１の第三方向における厚みよりも厚い樹脂層４０１と、樹脂層４０１よりも薄い布帛層４０２であって、樹脂層４０１の第二樹脂面ＰＳ２に直接的又は間接的に積層される布帛層（以下、第一布帛層という）４０２とを備える。本実施形態において、ベルト部材４０は、樹脂層４０１と第一布帛層４０２との間に該第一布帛層４０２と異なる布帛層（以下、第二布帛層という）４０３を備える。すなわち、本実施形態に係るベルト部材４０は、第一樹脂面ＰＳ１及び第二樹脂面ＰＳ２を有する樹脂層４０１と、樹脂層４０１の第二樹脂面ＰＳ２に直接的又は間接的に積層された二つ以上の布帛層４０２，４０３とを備える。
【００４３】
樹脂層４０１は、例えば、熱可塑性ポリウレタン、ポリオレフィン、ポリ塩化ビニル等の各種樹脂によって形成される。本実施形態において、ベルト部材４０の第三方向における総厚みを０．５ｍｍ〜７．０ｍｍに設定することを前提に、樹脂層４０１の第三方向の厚みは、０．１ｍｍ〜６．０ｍｍに設定される。
【００４４】
これに対し、第一布帛層４０２及び第二布帛層４０３のそれぞれは、ポリエステル糸、ナイロン糸、コットン糸、レーヨン糸等の布帛（織物）によって構成される。本実施形態において、樹脂層４０１の第三方向の厚みが０．１ｍｍ〜６．０ｍｍに設定されることを前提に、第一布帛層４０２及び第二布帛層４０３のそれぞれにおける第三方向の厚みは、０．１ｍｍ〜３．０ｍｍに設定される。なお、樹脂層４０１と布帛層４０２，４０３（第一布帛層４０２、第二布帛層４０３）との接着性を向上させるために、布帛層４０２，４０３（第一布帛層４０２、第二布帛層４０３）に対して、接着剤溶剤（例えば、ウレタン樹脂接着剤溶剤）を含浸させるプライマー処理が施されてもよい。
【００４５】
本実施形態に係るベルト部材４０は、第一布帛層４０２と第二布帛層４０３との間に介在する中間樹脂層（図示しない）を備える。すなわち、第一布帛層４０２は、中間樹脂層（図示しない）を介して第二布帛層４０３に積層され、第二布帛層４０３は、樹脂層４０１の第二樹脂面ＰＳ２に積層されている。中間樹脂層は、樹脂層４０１と同様に、例えば、熱可塑性ポリウレタン、ポリオレフィン、ポリ塩化ビニル等の各種樹脂によって形成される。なお、本実施形態において、中間樹脂層の厚みは、０．１ｍｍ〜３．０ｍｍに設定される。
【００４６】
連結部４１は、図２及び図３に示す如く、それぞれがベルト部材４０に固定された基端部４１０ａ，４１１ａ及び該基端部４１０ａ，４１１ａの反対側の先端部４１０ｂ，４１１ｂを有する一対の片部材４１０，４１１であって、第一方向で互いに対向するベルト部材４０の端縁４００のそれぞれから先端部４１０ｂ，４１１ｂを延出させた一対の片部材４１０，４１１と、それぞれが片部材４１０，４１１の先端部４１０ｂ，４１１ｂに沿って配列された複数のエレメント部４１２ａ…，４１３ａ…によって構成され且つ一対の片部材４１０，４１１の先端部４１０ｂ，４１１ｂのそれぞれに固定された一対のファスナーエレメント群４１２，４１３であって、互いのエレメント部４１２ａ…，４１３ａ…同士が噛合し、第一方向に作用する力を互いに伝達し合う一対のファスナーエレメント群４１２，４１３と、を含む。
【００４７】
一対の片部材４１０，４１１のそれぞれは、曲げ剛性がベルト部材４０の曲げ剛性よりも低い可撓部４１０ｃ，４１１ｃを基端部４１０ａ，４１１ａと先端部４１０ｂ，４１１ｂとの間に有する。すなわち、片部材４１０，４１１は、基端部４１０ａ，４１１ａと先端部４１０ｂ，４１１ｂとの間に、ベルト部材４０よりも曲がりやすい可撓部４１０ｃ，４１１ｃを有する。
【００４８】
本実施形態において、一対の片部材４１０，４１１のそれぞれは、布製である。すなわち、片部材４１０，４１１は、繊維を編んだ布により構成される。ここで、片部材４１０，４１１を構成する繊維には、ポリエステル製、スパンデックス製、コットン製、ポリプロピレン製の糸、或いは、これらの少なくとも二つを組み合わせた混紡糸を採用することができる。本実施形態において、片部材４１０，４１１を構成する繊維には、ポリエステル製の糸が採用されている。本実施形態において、片部材４１０，４１１の第三方向の厚みは、０．１ｍｍ〜３．０ｍｍに設定される。
【００４９】
一対の片部材４１０，４１１のそれぞれは、図２に示す如く、第一面Ｓ１と該第一面Ｓ１の反対側の第二面Ｓ２とを有する。片部材４１０，４１１は、第二面Ｓ２をベルト部材４０の裏面Ｓｂと同方向に向け、第三方向において、ベルト部材４０の端縁４００の中央よりも何れか一方側に偏位した位置から延出している。
【００５０】
具体的には、片部材４１０，４１１の基端部４１０ａ，４１１ａは、第一面Ｓ１を樹脂層４０１側に向けるとともに第二面Ｓ２を第一布帛層４０２側に向けている。本実施形態において、ベルト部材４０は、上述の如く、樹脂層４０１及び第一布帛層４０２に加え、第二布帛層４０３を備える。これに伴い、片部材４１０，４１１の基端部４１０ａ，４１１ａは、樹脂層４０１の第二樹脂面ＰＳ２に積層された第二布帛層４０３と第一布帛層４０２との間に介在して固定されている。本実施形態のベルト部材４０において、上述の如く、第一布帛層４０２と第二布帛層４０３との間に中間樹脂層が介在している。これに伴い、片部材４１０，４１１の基端部４１０ａ，４１１ａは、第三方向で二分割された中間樹脂層間に介在した状態で固定されている。これにより、片部材４１０，４１１は、第三方向において、ベルト部材４０の端縁４００の中央よりも該ベルト部材４０の裏面Ｓｂ側に偏位した位置から延出している。
【００５１】
具体的に説明すると、第一布帛層４０２と第二布帛層４０３との間に介在する中間樹脂層には、第三方向における略中間位置で第一方向及び第二方向に広がる切り込みが入れられ、その切り込みに対して辺部材４１０，４１１の基端部４１０ａ，４１１ａが介入されている。これに伴い、本実施形態において、片部材４１０，４１１の基端部４１０ａ，４１１ａは、第三方向の両側に存在する中間樹脂層に挟まれている。これに伴い、片部材４１０，４１１の基端部４１０ａ，４１１ａは、中間樹脂層に熱溶着されて固定される。本実施形態では、片部材４１０，４１１の基端部４１０ａ，４１１ａを第一布帛層４０２と第二布帛層４０３との間（中間樹脂層の切り込み）に配置した上で、高周波ウェルダーにより片部材４１０，４１１をベルト部材４０に熱溶着している。
【００５２】
ファスナーエレメント群４１２，４１３は、片部材４１０，４１１の先端部４１０ｂ，４１１ｂにおける第一面Ｓ１上に固定されている。より具体的に説明すると、本実施形態において、連結部４１は、図２及び図３に示す如く、線材Ｌｍ１，Ｌｍ２を螺旋状に巻回した一対のコイル部材４１４，４１５を備える。
【００５３】
本実施形態において、コイル部材４１４，４１５は、樹脂製である。かかるコイル部材４１４，４１５は、片部材４１０，４１１の織り込み（繊維の織り込み）により該片部材４１０，４１１に固定されている。
【００５４】
一対のコイル部材４１４，４１５のそれぞれにおいて、第二方向に延びる仮想直線上に並ぶ複数の部位が複数のエレメント部４１２ａ…，４１３ａ…（ファスナーエレメント群４１２，４１３）を構成する。
【００５５】
具体的には、コイル部材４１４，４１５は、自身の巻回中心線に沿った仮想面（以下、第一仮想面という）ＶＦ１を境にした一方側の領域内に第二方向に並ぶ複数のエレメント部４１２ａ…，４１３ａ…を有する。本実施形態において、複数のエレメント部４１２ａ…，４１３ａ…のそれぞれは、コイル部材４１４，４１５を構成する線材Ｌｍ１，Ｌｍ２を部分的に変形させて形成されている。すなわち、複数のエレメント部４１２ａ…，４１３ａ…のそれぞれは、図３に示す如く、コイル部材４１４，４１５を構成する線材Ｌｍ１，Ｌｍ２を部分的に径方向外方に突出させるように変形させて形成されている。これにより、各エレメント部４１２ａ，４１３ａは、コイル部材４１４，４１５の巻回中心線の延びる方向（第二方向）に突出した一対の凸部４１２ｂ，４１２ｂ，４１３ｂ，４１３ｂであって、互いに相反する方向に突出した一対の凸部４１２ｂ，４１２ｂ，４１３ｂ，４１３ｂを有する。
【００５６】
また、コイル部材４１４，４１５は、図２及び図３に示す如く、第一仮想面ＶＦ１を境にした他方側の領域に片部材４１０，４１１に対して固定するための固定部４１４ａ，４１５ａを有する。そして、コイル部材４１４，４１５の固定部４１４ａ，４１５ａは、片部材４１０，４１１に対する繊維（糸）の織り込みにより、片部材４１０，４１１に固定されている。
【００５７】
ファスナーエレメント群４１２，４１３（複数のエレメント部４１２ａ…，４１３ａ…のそれぞれ）は、図２に示す如く、ベルト部材４０の表面Ｓａと同方向に向く第一表面Ｓａ１と、ベルト部材４０の裏面Ｓｂと同方向に向く第二表面Ｓａ２とを有する。すなわち、ファスナーエレメント群４１２，４１３（複数のエレメント部４１２ａ…，４１３ａ…）は、第三方向で外方に向く第一表面Ｓａ１と、第三方向で外方を向き且つ第一表面Ｓａ１に対して反対側を向く第二表面Ｓａ２とを有する。
【００５８】
本実施形態において、ファスナーエレメント群４１２，４１３（複数のエレメント部４１２ａ…，４１３ａ…）は、上述の如く、コイル部材４１４，４１５の一部により構成される。従って、コイル部材４１４，４１５は、自身の巻回中心線に沿って第一仮想面ＶＦ１と直交する仮想面（以下、第二仮想面という）ＶＦ２を境にした一方側の領域に、ファスナーエレメント群４１２，４１３（エレメント部４１２ａ…，４１３ａ…）の第一表面Ｓａ１を有し、第二仮想面ＶＦ２を境にした他方側の領域に、ファスナーエレメント群４１２，４１３（エレメント部４１２ａ…，４１３ａ…）の第二表面Ｓａ２を有する。
【００５９】
ファスナーエレメント群４１２，４１３の第一表面Ｓａ１は、ベルト部材４０の表面Ｓａと同一レベル又はベルト部材４０の表面Ｓａよりも裏面Ｓｂ側に位置する。また、ファスナーエレメント群４１２，４１３の第二表面Ｓａ２は、ベルト部材４０の裏面Ｓｂと同一レベル又はベルト部材４０の裏面Ｓｂよりも表面Ｓａ側に位置する。
【００６０】
一対のファスナーエレメント群４１２，４１３のエレメント部４１２ａ…，４１３ａ…同士の噛合は、一対のファスナーエレメント群４１２，４１３の一端に装着したスライダー（図示しない）を第二方向に移動させ、該スライダーを他端から離脱させることにより達成される。これにより、一対のファスナーエレメント群４１２，４１３は、互いのエレメント部４１２ａ…，４１３ａ…同士を第二方向で全長に亘って噛合させている。
【００６１】
以上のように、本実施形態にかかる搬送ベルト４は、第一方向に延び且つ第一方向と直交する第二方向又は第一方向と第二方向との合成方向に延びる端縁４００を有する少なくとも一つのベルト部材４０と、第一方向で互いに対向するベルト部材４０の端縁４００，４００同士を連結する連結部４１とを備え、連結部４１は、それぞれがベルト部材４０に固定された基端部４１０ａ，４１１ａ及び該基端部４１０ａ，４１１ａの反対側の先端部４１０ｂ，４１１ｂを有する一対の片部材４１０，４１１であって、第一方向で互いに対向するベルト部材４０の端縁４００のそれぞれから先端部４１０ｂ，４１１ｂを延出させた一対の片部材４１０，４１１と、それぞれが片部材４１０，４１１の先端部４１０ｂ，４１１ｂに沿って配列された複数のエレメント部４１２ａ…，４１３ａ…によって構成され且つ一対の片部材４１０，４１１の先端部４１０ｂ，４１１ｂのそれぞれに固定された一対のファスナーエレメント群４１２，４１３であって、互いのエレメント部４１２ａ…，４１３ａ…同士（凸部４１２ｂ，４１２ｂ，４１３ｂ，４１３ｂ同士）が噛合し、第一方向に作用する力を互いに伝達し合う一対のファスナーエレメント群４１２，４１３と、を含み、一対の片部材４１０，４１１のそれぞれは、曲げ剛性がベルト部材４０の曲げ剛性よりも低い可撓部４１０ｃ，４１１ｃを基端部４１０ａ，４１１ａと先端部４１０ｂ，４１１ｂとの間に有する。
【００６２】
上記構成の搬送ベルト４によれば、図４及び図５に示す如く、連結部４１（互いのエレメント部４１２ａ…，４１３ａ…同士を噛合させた一対のファスナーエレメント群４１２，４１３）がプーリー２…，３上の通過する際、一対のファスナーエレメント群４１２，４１３（複数のエレメント部４１２ａ，４１３ａ）がプーリー２，３（プーリー本体２０，３０の外周面）に接触すると、一対のファスナーエレメント群４１２，４１３（複数のエレメント部４１２ａ，４１３ａ）がプーリー２…，３の存在する側とは反対側に押される。
【００６３】
このとき、曲げ剛性がベルト部材４０の曲げ剛性よりも低い片部材４１０，４１１の可撓部４１０ｃ，４１１ｃが曲がり、一対のファスナーエレメント群４１２，４１３がプーリー２…，３に対して離間する方向に移動する。これにより、プーリー２…，３に対する一対のファスナーエレメント群４１２，４１３の押し付け力が小さくなるか無くなるため、プーリー２…，３にダメージが小さくなるか無くなる。
【００６４】
これにより、本実施形態の搬送ベルト４は、プーリー２，３の外周面に対するダメージを抑えることができるという優れた効果を奏し得る。
【００６５】
本実施形態において、連結部４１は、線材Ｌｍ１，Ｌｍ２を螺旋状に巻回したコイル部材４１４，４１５を備え、ファスナーエレメント群４１２，４１３を構成する複数のエレメント部４１２ａ…，４１３ａは、コイル部材４１４，４１５の第二方向に延びる仮想直線上で並ぶ複数の部位である。このようにすることで、一対のファスナーエレメント群４１２，４１３のそれぞれにおいて、複数のエレメント部４１２ａ…，４１３ａ…が機械的に繋がる。従って、一対のファスナーエレメント群４１２，４１３（複数のエレメント部４１２ａ…，４１３ａ…）同士の噛合が確実になり、搬送ベルト４の周回時に張力が連結部４１に作用しても、ベルト部材４０の端縁４００，４００同士が連結した状態で維持される。
【００６６】
特に、片部材４１０，４１１は、布製であり、コイル部材４１４，４１５は、片部材４１０，４１１の織り込みにより該片部材４１０，４１１に固定されているため、片部材４１０，４１１の可撓部４１０ｃ，４１１ｃが曲がり易いだけでなく十分な引っ張り強度を有することになり、さらには、片部材４１０，４１１に対するコイル部材４１４，４１５（ファスナーエレメント群４１２，４１３）の固定強度が十分に得られる。
【００６７】
本実施形態において、片部材４１０，４１１は、第一面Ｓ１と該第一面Ｓ１の反対側の第二面Ｓ２とを有し、ファスナーエレメント群４１２，４１３は、片部材４１０，４１１の先端部４１０ｂ，４１１ｂにおける第一面Ｓ１上に固定されている。これにより、コイル部材４１４，４１５の一部（ファスナーエレメント群４１２，４１３の一部）と片部材４１０，４１１の先端部４１０ｂ，４１１ｂとが重なるため、図４に示す如く、片部材４１０，４１１の第二面Ｓ２側にプーリー２が存在する場合、ファスナーエレメント群４１２，４１３とプーリー２…，３との間に片部材４１０，４１１が存在する。これにより、ファスナーエレメント群４１２，４１３がプーリー２に直接接触することが阻止されるため、ファスナーエレメント群４１２，４１３がプーリー２…，３にダメージを与えることが抑制される。
【００６８】
特に、本実施形態において、ベルト部材４０は、物品を載せる表面Ｓａと該表面Ｓａの反対側の裏面Ｓｂとを第一方向及び第二方向のそれぞれと直交する第三方向に有し、片部材４１０，４１１は、第二面Ｓ２をベルト部材４０の裏面Ｓｂと同方向に向け、ベルト部材４０の端縁４００の第三方向の中央よりも何れか一方側に偏位した位置から延出している。これにより、ファスナーエレメント群４１２，４１３がベルト部材４０の表面Ｓａ又は裏面Ｓｂ（本実施形態においては表面Ｓａ）から突出することが抑制され、図５に示す如く、ベルト部材４０の表面Ｓａ側にプーリー３が存在する場合、ファスナーエレメント群４１２，４１３がプーリー２…，３に接触する（押し付けられる）ことが抑制される。
【００６９】
また、ベルト部材４０は、物品を載せる表面Ｓａになる第一樹脂面ＰＳ１と該第一樹脂面ＰＳ１の反対側の第二樹脂面ＰＳ２とを有する樹脂層４０１であって、第三方向における厚みが片部材４１０，４１１の第三方向における厚みよりも厚い樹脂層４０１と、樹脂層４０１よりも薄い布帛層４０２，４０３であって、樹脂層４０１の第二樹脂面ＰＳ２に直接的又は間接的に積層された二つ以上の布帛層４０２，４０３とを備え、片部材４１０，４１１の基端部４１０ａ，４１１ａは、第三方向で隣り合う二つの布帛層４０２，４０３間に介在して固定されているため、片部材４１０，４１１の基端部４１０ａ，４１１ａがベルト部材４０の端縁４００の第三方向の途中位置であって、ベルト部材４０の裏面Ｓｂ側に偏位した位置に確実に固定される。
【００７０】
本実施形態において、ベルト部材４０は、図２に示す如く、物品を載せる表面Ｓａと該表面Ｓａの反対側の裏面Ｓｂとを第一方向及び第二方向のそれぞれと直交する第三方向に有し、ファスナーエレメント群４１２，４１３は、ベルト部材４０の表面Ｓａと同方向に向く第一表面Ｓａ１と、ベルト部材４０の裏面Ｓｂと同方向に向く第二表面Ｓａ２とを有し、第一表面Ｓａ１がベルト部材４０の表面Ｓａと同一レベル又はベルト部材４０の表面Ｓａよりも裏面Ｓｂ側に位置する。これにより、ベルト部材４０の表面Ｓａからファスナーエレメント群４１２，４１３が突出することが抑えられるため、図５に示す如く、プーリー３がベルトの表面Ｓａ側に存在する場合、ファスナーエレメント群４１２，４１３がプーリー３に押し付けられることが抑制される。
【００７１】
また、ベルト部材４０は、図２に示す如く、物品を載せる表面Ｓａと該表面Ｓａの反対側の裏面Ｓｂとを第一方向及び第二方向のそれぞれと直交する第三方向に有し、ファスナーエレメント群４１２，４１３は、ベルト部材４０の表面Ｓａと同方向に向く第一表面Ｓａ１と、ベルト部材４０の裏面Ｓｂと同方向に向く第二表面Ｓａ２とを有し、第二表面Ｓａ２がベルト部材４０の裏面Ｓｂと同一レベル又はベルト部材４０の裏面Ｓｂよりも表面Ｓａ側に位置する。これにより、ベルト部材４０の裏面Ｓｂからファスナーエレメント群４１２，４１３が突出することが抑えられるため、図４に示す如く、プーリー２がベルトの裏面Ｓｂ側に存在する場合、ファスナーエレメント群４１２，４１３がプーリー２に押し付けられることが抑制される。
【００７２】
なお、本発明は、上記実施形態に限定されるものではなく、本発明の要旨を逸脱しない範囲で適宜変更を加え得ることは勿論である。
【００７３】
上記実施形態において、連結部４１が線材Ｌｍ１，Ｌｍ２を螺旋状に巻回したコイル部材４１４，４１５を備え、ファスナーエレメント群４１２，４１３を構成する複数のエレメント部４１２ａ…，４１３ａ…のそれぞれがコイル部材４１４，４１５の一部で構成されたが、これに限定されない。例えば、ファスナーエレメント群４１２，４１３を構成する複数のエレメント部４１２ａ…，４１３ａ…は、それぞれ独立した部材とされ、該複数のエレメント部４１２ａ…，４１３ａ…のそれぞれが片部材４１０，４１１に固定されたものであってもよい。
【００７４】
上記実施形態において、樹脂製のコイル部材４１４，４１５の一部をエレメント部４１２ａ…，４１３ａ…（ファスナーエレメント群４１２，４１３）とすることで、エレメント部４１２ａ，４１３ａ（ファスナーエレメント群４１２，４１３）が樹脂製にされたが、これに限定されない。例えば、エレメント部４１２ａ，４１３ａ（ファスナーエレメント群４１２，４１３）は、金属製であってもよい。
【００７５】
上記実施形態において、ファスナーエレメント群４１２，４１３（コイル部材４１４，４１５）が片部材４１０，４１１の織り込みによって該片部材４１０，４１１に固定されたが、これに限定されない。例えば、ファスナーエレメント群４１２，４１３（複数のエレメント部４１２ａ…，４１３ａ…）が片部材４１０，４１１に対して縫い付けられたり、ファスナーエレメント群４１２，４１３（複数のエレメント部４１２ａ…，４１３ａ…）が片部材４１０，４１１に対して接着剤（図示しない）で接着されたりしてもよい。
【００７６】
上記実施形態の連結部４１において、布製の片部材４１０，４１１が採用されたが、これに限定されない。例えば、片部材４１０，４１１は、樹脂製のシートで構成されてもよい。但し、この場合においても、片部材４１０，４１１は、耐張力性を有し且つ曲げ剛性がベルト部材４０の曲げ剛性よりも低い可撓部４１０ｃ，４１１ｃを基端部４１０ａ，４１１ａと先端部４１０ｂ，４１１ｂとの間に有することは勿論である。なお、ベルト部材４０が布帛層４０２，４０３を備え、片部材４１０，４１１が布帛層４０２，４０３と隣り合わせに配置された状態で固定される場合、片部材４１０，４１１には、布製のものが採用されることが好ましい。このようにすれば、ベルト部材４０の布帛層４０２，４０３と片部材４１０，４１１とが重なることで、片部材４１０，４１１の繊維及び布帛層４０２，４０３の繊維が直接的又は間接的に係止し合った状態になり、ベルト部材４０に対する片部材４１０，４１１の固定が確実になる。
【００７７】
上記実施形態において、ファスナーエレメント群４１２，４１３は、片部材４１０，４１１の先端部４１０ｂ，４１１ｂにおける第一面Ｓ１上に固定されたが、これに限定されない。例えば、ファスナーエレメント群４１２，４１３が片部材４１０，４１１の先端部４１０ｂ，４１１ｂのエッジ（縁）に沿って固定されてもよい。
【００７８】
上記実施形態において、ベルト部材４０は、樹脂層４０１と、樹脂層４０１よりも薄い第一布帛層４０２であって、樹脂層４０１の第二樹脂面ＰＳ２に直接的又は間接的に積層される第一布帛層４０２と、中間樹脂層を介して第一布帛層４０２に積層された第二布帛層４０３とを備えたが、これに限定されない。例えば、ベルト部材４０は、樹脂層４０１及び該樹脂層４０１に直接積層された単一の布帛層４０２のみを備えたものであってもよい。この場合、片部材４１０，４１１の基端部４１０ａ，４１１ａは、樹脂層４０１と布帛層４０２との間に介在した状態で固定されてもよいし、ベルト部材４０の裏面Ｓｂとなる布帛層４０２の外面に貼り合わされて固定されてもよい。また、ベルト部材４０の布帛層４０２，４０３は、二つ以上あってもよい。この場合、片部材４１０，４１１の基端部４１０ａ，４１１ａは、第三方向で隣り合う何れかの布帛層４０２，４０３の間に介在した状態で固定されてもよいし、ベルト部材４０の裏面Ｓｂとなる布帛層４０２の外面に貼り合わされて固定されてもよい。
【００７９】
上記実施形態において、第三方向に積層された二つの布帛層４０２，４０３（第一布帛層４０２、第二布帛層４０３）の間に中間樹脂層が介在したが、これに限定されるものではなく、隣り合う布帛層４０２，４０３同士が直接的に密着（接着）されてもよい。例えば、布帛層４０２，４０３を熱溶融性の化繊で構成し、隣り合う二つの布帛層４０２，４０３同士が直接熱溶着されたり、第三方向に隣り合う二つの布帛層４０２，４０３のうちの少なくとも何れか一方に接着成分を含浸させておき、この接着成分により隣り合う二つの布帛層４０２，４０３が接着されてもよい。
【００８０】
また、ベルト部材４０は、単一の樹脂層４０１のみで構成されたものや、厚みが同一の二つの樹脂層４０１を積層したもの、厚みの異なる樹脂層４０１を積層したもの等であってもよい。但し、ベルト部材４０の端縁４００において、厚み方向の何れか一方の面側に偏位した位置から片部材４１０，４１１を延出させる場合、厚みの異なる樹脂層４０１間に片部材４１０，４１１の基端部４１０ａ，４１１ａを位置させることが好ましい。なお、上記実施形態において、特に言及しなかったが、ベルト部材４０を構成すべく第三方向に積層される複数の層（樹脂層４０１、布帛層４０２，４０３）は、隣り合う層に対して接着されていることは勿論であり、この接着には、層の素材に応じて、熱溶着が採用されたり、接着剤が用いられたりすることは勿論のことである。
【００８１】
上記実施形態において、片部材４１０，４１１の基端部４１０ａ，４１１ａがベルト部材４０に対して接着（熱溶着）されたが、これに限定されない。例えば、片部材４１０の基端部４１０ａ，４１１ａは、ベルト部材４０に対して縫いつけられてもよい。
【００８２】
上記実施形態において、ファスナーエレメント群４１２，４１３の第一表面Ｓａ１がベルト部材４０の表面Ｓａと同一レベル又はベルト部材４０の表面Ｓａよりも裏面Ｓｂ側に位置したが、これに限定されない。例えば、ファスナーエレメント群４１２，４１３の第一表面Ｓａ１は、ベルト部材４０の表面Ｓａよりも第三方向において外方に突出していてもよい。
【００８３】
この場合、図６に示す如く、第一方向における片部材４１０，４１１の可撓部４１０ｃ，４１１ｃ（先端部４１０ｂ，４１１ｂと基端部４１０ａ，４１１ａとの間）の寸法Ｌは、ベルト部材４０の表面Ｓａからのファスナーエレメント群４１２，４１３の第一表面Ｓａ１の突出量ｔ１の二倍以上に設定されることが好ましい。
【００８４】
このようにすることで、外側プーリー３の外周面にファスナーエレメント群４１２，４１３（エレメント部４１２ａ…，４１３ａ…）が接触した際、片部材４１０，４１１の可撓部４１０ｃ，４１１ｃが曲がり、ファスナーエレメント群４１２，４１３（エレメント部４１２ａ…，４１３ａ…）が外側プーリー３の存在する側とは反対側に移動する（逃げる）ことができる。
【００８５】
但し、片部材４１０，４１１が布製である場合、第一方向における片部材４１０，４１１の可撓部４１０ｃ，４１１ｃ（先端部４１０ｂ，４１１ｂと基端部４１０ａ，４１１ａとの間）の寸法が長くされすぎると、片部材４１０，４１１（可撓部４１０ｃ，４１１ｃ）の強度が低下する可能性がある。従って、可撓部４１０ｃ，４１１ｃ（先端部４１０ｂ，４１１ｂと基端部４１０ａ，４１１ａとの間）の寸法は５０ｍｍ以下にすることが好ましい。但し、上記設定は、ベルト部材４０及び片部材４１０のそれぞれの曲げ剛性及び第三方向の厚みが上記実施形態と同様にされることが前提である。
【００８６】
また、上記実施形態において、ファスナーエレメント群４１２，４１３の第二表面Ｓａ２がベルト部材４０の裏面Ｓｂと同一レベル又はベルト部材４０の裏面Ｓｂよりも表面Ｓａ側に位置したが、これに限定されない。例えば、ファスナーエレメント群４１２，４１３の第二表面Ｓａ２は、ベルト部材４０の裏面Ｓｂよりも第三方向において外方に突出していてもよい。
【００８７】
この場合、図６に示す如く、第一方向における片部材４１０，４１１の可撓部４１０ｃ，４１１ｃ（先端部４１０ｂ，４１１ｂと基端部４１０ａ，４１１ａとの間）の寸法Ｌは、ベルト部材４０の裏面Ｓｂからのファスナーエレメント群４１２，４１３の第二表面Ｓａ２の突出量ｔ２の二倍以上に設定されることが好ましい。
【００８８】
このようにすることで、内側プーリー２…の外周面にファスナーエレメント群４１２，４１３（エレメント部４１２ａ…，４１３ａ…）が接触した際、片部材４１０，４１１の可撓部４１０ｃ，４１１ｃが曲がり、ファスナーエレメント群４１２，４１３（エレメント部４１２ａ…，４１３ａ…）が内側プーリー２…の存在する側とは反対側に移動する（逃げる）ことができる。但し、この場合においても、片部材４１０，４１１が布製とされた場合、第一方向における片部材４１０，４１１の可撓部４１０ｃ，４１１ｃ（先端部４１０ｂ，４１１ｂと基端部４１０ａ，４１１ａとの間）の寸法が長くされすぎると、片部材４１０，４１１（可撓部４１０ｃ，４１１ｃ）の強度が低下する可能性がある。従って、可撓部４１０ｃ，４１１ｃ（先端部４１０ｂ，４１１ｂと基端部４１０ａ，４１１ａとの間）の寸法は５０ｍｍ以下にすることが好ましい。但し、この場合においても、上記設定は、ベルト部材４０及び片部材４１０のそれぞれの曲げ剛性及び第三方向の厚みが上記実施形態と同様にされることが前提である。
【００８９】
なお、ファスナーエレメント群４１２，４１３の第一表面Ｓａ１がベルト部材４０の表面Ｓａよりも外方に突出した状態にされるのに併せ、ファスナーエレメント群４１２，４１３の第二表面Ｓａ２がベルト部材４０の裏面Ｓｂと同一レベル又はベルト部材４０の裏面Ｓｂよりも表面Ｓａ側に位置してもよいし、ファスナーエレメント群４１２，４１３の第二表面Ｓａ２がベルト部材４０の裏面Ｓｂよりも外方に突出した状態にされるのに併せ、ファスナーエレメント群４１２，４１３の第一表面Ｓａ１がベルト部材４０の表面Ｓａと同一レベル又はベルト部材４０の裏面Ｓｂよりも表面Ｓａ側に位置してもよい。
【００９０】
この場合においても、片部材４１０，４１１の可撓部４１０ｃ，４１１ｃの長さＬは、ベルト部材４０（表面Ｓａ又は裏面Ｓｂ）からのファスナーエレメント群４１２，４１３の突出量ｔ１，ｔ２の二倍以上で且つ５０ｍｍ以下の長さに設定されることが好ましい。但し、この場合においても、上記設定は、ベルト部材４０及び片部材４１０のそれぞれの曲げ剛性及び第三方向の厚みが上記実施形態と同様にされることが前提である。
【００９１】
上記実施形態において、ベルト部材４０の樹脂層４０１の厚みよりも布帛層４０２，４０３（第一布帛層４０２、第二布帛層４０３）の厚みの方が薄くされたが、これに限定されない。例えば、ベルト部材４０において、布帛層４０２，４０３（第一布帛層４０２、第二布帛層４０３）の厚みよりも樹脂層４０１の厚みの方が厚く設定されたり、樹脂層４０１の厚みと布帛層４０２，４０３（第一布帛層４０２、第二布帛層４０３）の厚みとが同一に設定されたりしてもよい。また、ベルト部材４０が二つ以上の布帛層４０２，４０３（第一布帛層４０２、第二布帛層４０３）を備える場合、全ての布帛層４０２，４０３（第一布帛層４０２，４０３）の厚みは、同一の厚みに設定される必要はなく、それぞれ異なる厚みに設定されてもよい。
【００９２】
すなわち、ベルト部材４０を構成する各層４０１，４０２，４０３の厚みは適宜設定すればよい。但し、片部材４１０，４１１の基端部４１０ａ，４１１ａをベルト部材４０の層間に介在させた状態で、片部材４１０，４１１がベルト部材４０の端縁４００における第三方向の中央位置よりも該ベルト部材４０の裏面Ｓｂ側に偏位して（偏った位置から）延出させるには、上記実施形態と同様に、樹脂層４０１の厚みよりも布帛層４０２，４０３（第一布帛層４０２、第二布帛層４０３）の厚みを薄く設定することが好ましいことは言うまでもない。
【符号の説明】
【００９３】
１…ベルトコンベア、２…内側プーリー（プーリー）、３…外側プーリー（プーリー）、４…搬送ベルト、２０，３０…プーリー本体、４０…ベルト部材、４１…連結部、４００…端縁、４０１…樹脂層、４０２…第一布帛層（布帛層）、４０３…第二布帛層（布帛層）、４１０，４１１…片部材、４１０ａ，４１１ａ…基端部、４１０ｂ，４１１ｂ…先端部、４１０ｃ，４１１ｃ…可撓部、４１２，４１３…ファスナーエレメント群、４１２ａ，４１３ａ…各エレメント部、４１２ｂ，４１３ｂ…凸部、４１４，４１５…コイル部材、４１４ａ，４１５ａ…固定部、Ｌ…寸法、Ｌｍ１，Ｌｍ２…線材、ＰＳ１…第一樹脂面、ＰＳ２…第二樹脂面、Ｓ１…第一面、Ｓ２…第二面、Ｓａ１…第一表面、Ｓａ２…第二表面、Ｓａ…表面、Ｓｂ…裏面、ｔ１，ｔ２…突出量、ＶＦ１…第一仮想面、ＶＦ２…第二仮想面
【図１】
2018096428.tif 000003
【図２】
2018096428.tif 000004
【図３】
2018096428.tif 000005
【図４】
2018096428.tif 000006
【図５】
2018096428.tif 000007
【図６】
2018096428.tif 000008